【事件の表示】
　平成２年特許願第５０１３９号「カメラの被写体距離情報出力装置」拒絶査定に対する審判事件［平成３年１１月７日出願公開、特開平３−２４９７４４］について、次のとおり審決する。
【結　論】
　本件審判の請求は、成り立たない。
【理　由】
【1】手続の経緯・本願発明
　本願は平成2年2月28日の出願であって、その請求項1に係る発明は、平成11年11月24日付け手続補正書により補正された明細書の特許請求の範囲の請求項1に記載されたとおりの、以下のものである。
　「撮影レンズを透過した被写体光の結像面とフィルム面とのずれ量、およびその方向を検出して、ずれ情報を出力するずれ情報検出手段と、
　上記撮影レンズに含まれる合焦レンズ群の、基準位置からの繰出量を検知、ならびに積算する繰出量検出手段と、
　上記ずれ情報に基づいて、上記合焦レンズ群の基準位置からの繰出量、およびその方向を決定する繰出量決定手段と、
　上記繰出量検出手段の出力と、上記繰出量決定手段の出力とに基づいて、上記撮影レンズの焦点深度の深さによる合焦時の上記合焦レンズ群の停止位置のばらつきを補正して該合焦レンズ群のピントずれ量がゼロとなるように、該合焦レンズ群の、基準位置に対する合焦繰出量を決定する演算手段と、
　上記合焦レンズ群の、基準位置に対する上記合焦繰出量に応じて、被写体距離情報を求めると共に、ストロボ装置をフラッシュマチック制御する出力手段と、
　を具備したことを特徴とするカメラの被写体距離情報出力装置」(以下、請求項1に係る発明を「本願発明」という。)
　
【2】引用例
　これに対して、原審の拒絶理由通知で引用した、引用例1:特開昭64-77009号公報及び引用例2:特開昭55-146429号公報には、以下の事項が記載されている。
　
引用例1:特開昭64-77009号公報
[記載事項1](特許請求の範囲)
　「(1)撮影レンズと、撮影レンズの無限遠位置から現在位置までの繰り出し量を検出する繰り出し量検出手段と、撮影レンズの焦点状態を検出し、被写体までのデフォーカス量を算出するデフォーカス量算出手段と、繰り出し量検出手段により検出された繰り出し量とデフォーカス量算出手段により算出されたデフォーカス量とに基づいて距離を算出する距離算出手段とを備えて成ることを特徴とする焦点検出装置を用いた距離検出装置。
(2)距離算出手段は、デフォーカス量算出手段にて算出されたデフォーカス量を撮影レンズの繰り出し量に変換する繰り出し量算出手段を含み、繰り出し量検出手段により検出された繰り出し量と繰り出し量算出手段により算出された繰り出し量とを加えた結果から距離を算出する手段であることを特徴とする特許請求の範囲第1項記載の焦点検出装置を用いた距離検出装置。」
　
[記載事項2](第2頁左上欄下から第2行目〜右上欄第13行目)
　「ここでも被写体距離を測光値決定のための有力な情報として使用できる(特開昭56-102838号公報又は特開昭58-12571号公報参照)。このように、被写体距離は写真撮影において撮影者の意図を推測したり、複数の領域についての焦点検出結果又は測光結果を評価する上で有力な情報となるものであり、高度な情報処理能力を備えたカメラにおいては、常に欠くことのできない情報である。しかるに、…従来技術にあっては、被写体に合焦したときのレンズの繰り出し位置から距離検出を行う方式であるので、被写体にピントが合っていない場合には、被写体距離の情報を得ることができないという問題があった。」
　
[記載事項3](第2頁左下欄第3行目〜右下欄第6行目、第1図)
　「本発明にあっては、上記の問題点を解決するために、第1図に示すように、撮影レンズ(11)と、撮影レンズ(11)の無限遠位置から現在位置までの繰り出し量(N)を検出する繰り出し量検出手段(1)と、撮影レンズ(11)の焦点状態を検出し、被写体までのデフォーカス量(DF)を算出するデフォーカス量算出手段(2)と、繰り出し量検出手段(1)により検出された繰り出し量(N)とデフォーカス量算出手段(2)にて算出されたデフォーカス量(DF)とに基づいて距離(x)を算出する距離算出手段(4)とを備えて成ることを特徴とするものである。なお、デフォーカス量算出手段(2)にて算出されたデフォーカス量(DF)を撮影レンズ(11)の繰り出し量(ΔN)に変換する繰り出し量算出手段(3)を設けて、距離算出手段(4)は繰り出し量検出手段(1)により検出された繰り出し量(N)と繰り出し量算出手段(3)により算出された繰り出し量(ΔN)とを加えて、加えた結果(N+ΔN)から距離(x)を算出する手段とすることが好ましい。ただし、第1図は本発明の構成を機能的にブロック化して示した説明図であり、後述の実施例では、手段(1)乃至(4)の全部又は一部をマイクロコンピュータのプログラムによって実現している。」
　
[記載事項4](第2頁右下欄第7行目〜第3頁左上欄末行、第1図)
　「(作用)撮影レンズ(11)の焦点距離をf、無限遠位置から被写体位置までのデフォーカス量をDFxとすると、撮影レンズ(11)から被写体までの距離は、
x=f2/DFx
となる。一方、撮影レンズ(11)の無限遠位置から現在位置までのデフォーカス量(DFo)は、繰り出し量検出手段(1)により繰り出し量(N)として検出され、その関係は、
N=k・DFo
となっている。上式より、撮影レンズ(11)の無限遠位置から現在位置までのデフォーカス量は、DFo=N/kとなる。そして、撮影レンズ(11)の現在位置から被写体位置までのデフォーカス量(DF)はデフォーカス量算出手段(2)によって得られ、結局、撮影レンズ(11)の無限遠位置から被写体位置までのデフォーカス量は、
DFx=DFo+DF
となる。これから、被写体距離xは、
x=f2/DFx=f2/(N/k+DF)
となる。或いは、撮影レンズ(11)の現在位置から被写体位置までの繰り出し量ΔN=DF×kを用いて、
x= f2k/(N +ΔN)
で求められる。そこで、デフォーカス量算出手段(2)によって得られたデフォーカス量(DF)を、繰り出し量算出手段(3)によって前記繰り出し量(ΔN)に変換し、これを繰り出し量検出手段(1)により検出された繰り出し量(N)と加算し、加算した結果(N+ΔN)から距離算出手段(4)により被写体距離(x)を算出する。このようにすれば、撮影レンズ(11)の焦点状態が被写体に合焦していなくても、被写体距離(x)を求めることができるものである。」
　
[記載事項5](第15頁左上欄第5行目〜18行目)
　「(発明の効果)本発明は上述のように、撮影レンズの無限遠位置から現在位置までの繰り出し量を検出すると共に、撮影レンズの焦点状態を検出して、被写体までのデフォーカス量を算出し、このデフォーカス量と検出された繰り出し量とに基づいて撮影レンズの無限遠位置から被写体位置までの繰り出し量を求めるようにしたから、被写体に合焦していなくても、被写体に合焦したときの被写体距離を検出することができるという効果がある。このため、本発明の距離検出装置を用いれば、被写体距離に応じて他の処理を行う場合においても、被写体に合焦するまで処理を待つ必要がないという利点がある。」
　
　以上の[記載事項1]〜[記載事項5]から総合すると、引用例1には
　「撮影レンズ(11):撮影レンズ(11)の無限遠位置から現在位置までの繰り出し量(N)を検出する繰り出し量検出手段(1):撮影レンズ(11)の焦点状態を検出し、被写体までのデフォーカス量(DF)を算出するデフォーカス量算出手段(2):及び繰り出し量検出手段(1)により検出された繰り出し量(N)とデフォーカス量算出手段(2)にて算出されたデフォーカス量(DF)とに基づいて距離(x)を算出する距離算出手段(4)を備え、
　デフォーカス量算出手段(2)にて算出されたデフォーカス量(DF)を撮影レンズ(11)の繰り出し量(ΔN)に変換する繰り出し量算出手段(3)を設けて、距離算出手段(4)は繰り出し量(N)と繰り出し量算出手段(3)により算出された繰り出し量(ΔN)とを加えて、加えた結果(N+ΔN)から距離(x)を算出する手段とし、
　撮影レンズ(11)の焦点状態が被写体に合焦していなくても、被写体に合焦したときの被写体距離を検出することができる、カメラの測光結果を評価する等の、他の処理を行うための距離検出装置。」
なる発明が記載されている。これを以下、「引用発明」という。
　
引用例2: 特開昭55-146429号公報
　[記載事項1](第1頁右下欄第4行目〜第10行目)
　「本発明は上記の如きカメラシステムにおける制御装置に関するもので、特に閃光撮影に際し、測距装置により検出された距離信号を閃光装置に入力し、該測距装置により自動的に検出された距離信号に基づいて閃光量を調光することにより、閃光撮影時の露光量調定を自動的に規制する制御装置を提供するものである。」
　
　[記載事項2](第1頁右下欄第11行目〜第2頁左上欄第9行目、第1図)
　「以下図面によって本発明を説明する。第1図は本発明によるカメラの制御方式の構成を示す系統図である。図において、1はカメラ制御回路、2は1の電源装置、3は表示装置である。4は撮影開始のためのスタート信号発生源で例えばレリーズボタンの押圧によりスタート信号を発生する。5は被写体の輝度情報で例えばレンズを通して入射する光量である。6は例えばピント面での被写体像の鮮明度として得られる被写体までの距離情報信号、7は使用フィルム感度、フィルター倍数等の予設情報信号発生源であり、これらの各情報信号がカメラ制御回路1に入力される。8は測光装置でカメラ制御回路1よりの各種情報により適正露光値を決定する。9は測距装置で被写体の距離に応じてカメラの焦点を自動的に合わせる。10は閃光装置で被写体までの距離情報により発光装置の発光量を自動的に調整する。11は電動駆動装置で例えば小型モーターによりカメラの各種機構を電動駆動する。」
　
【3】対比・判断
《3-1》対比
(a) そこで本願発明と引用発明とを比較すると、引用発明における「撮影レンズ(11)」は、撮影のためのレンズであり、かつ、合焦のために移動するレンズであるから本願発明の「撮影レンズ」に相当し、また、「撮影レンズに含まれる合焦レンズ群」にも相当する。
(b)引用発明における「無限遠位置」は、本願発明の「基準位置」に相当する。
(c)引用発明における繰り出し量(N)を検出する「繰り出し量検出手段(1)」は、本願発明の「繰出量検出手段」に相当する。
(d)引用発明における「N+ΔN」は、本願発明の「合焦繰出量」に相当する。
(e)引用発明における、距離算出手段(4)による、撮影レンズ(11)の「繰り出し量(N)と繰り出し量算出手段(3)により算出された繰り出し量(ΔN)とを加えて、加えた結果(N+ΔN)から距離(x)を算出する」ための構成は、本願発明の「繰出量検出手段の出力と、上記繰出量決定手段の出力とに基づいて、該合焦レンズ群のピントずれ量がゼロとなるように、該合焦レンズ群の、基準位置に対する合焦繰出量を決定する演算手段」に相当する。
(f) 引用発明における「カメラの測光結果を評価する等の、他の処理を行うための距離検出装置」は、本願発明の「カメラの被写体距離情報出力装置」に相当する。
(g)本願発明の「ずれ情報に基づいて、上記合焦レンズ群の基準位置からの繰出量、およびその方向を決定する繰出量決定手段」は、繰出量決定のために「繰出量検出手段」から得られる合焦レンズ群の現在の位置に関する情報を利用していない。よって、本願発明の「ずれ情報に基づいて、上記合焦レンズ群の基準位置からの繰出量、およびその方向を決定する繰出量決定手段」は、ずれ情報に基づいて合焦レンズ群の繰出量、およびその方向を決定する手段である。この点は、平成11年11月24日付けの手続補正によって補正された明細書第7頁第17行〜第9頁第13行の「[実施例]」の記載及び第1図において、合焦レンズ群の現在の繰出量である「繰出量検出手段2」の情報を利用していないことからも明らかである。
　してみると、本願発明の「ずれ情報に基づいて、上記合焦レンズ群の基準位置からの繰出量、およびその方向を決定する繰出量決定手段」は、引用発明における「デフォーカス量算出手段(2)にて算出されたデフォーカス量(DF)を撮影レンズ(11)の繰り出し量(ΔN)に変換する繰り出し量算出手段(3)」に相当する。
　
　してみると、両者は、「撮影レンズを透過した被写体光の結像面とフィルム面とのずれ量、およびその方向を検出して、ずれ情報を出力するずれ情報検出手段と、
　上記撮影レンズに含まれる合焦レンズ群の、基準位置からの繰出量を検知、ならびに積算する繰出量検出手段と、
　上記ずれ情報に基づいて、上記合焦レンズ群の基準位置からの繰出量、およびその方向を決定する繰出量決定手段と、
　上記繰出量検出手段の出力と、上記繰出量決定手段の出力とに基づいて、合焦レンズ群のピントずれ量がゼロとなるように、該合焦レンズ群の、基準位置に対する合焦繰出量を決定する演算手段と、
　上記合焦レンズ群の、基準位置に対する上記合焦繰出量に応じて、被写体距離情報を求めることを特徴とするカメラの被写体距離情報出力装置」である点で一致する。
　
　そして、両者は、以下の[相違点1]及び[相違点2]の点で相違する。
　[相違点1]:本願発明は、演算手段が「上記撮影レンズの焦点深度の深さによる合焦時の上記合焦レンズ群の停止位置のばらつきを補正」するということを規定しているのに対して、引用発明は、そのような規定を明示していない点。
　[相違点2]:本願発明は、ストロボ装置をフラッシュマチック制御する出力手段を具備するのに対して、引用発明は、カメラの測光結果を評価する等の、他の処理を行うための被写体距離情報を出力するが、ストロボ装置をフラッシュマチック制御する点を規定していない点。
　
《3-2》判断
　前記相違点について検討する。
　[相違点1]について:
　演算手段が「上記撮影レンズの焦点深度の深さによる合焦時の上記合焦レンズ群の停止位置のばらつきを補正」するという点について検討するに、上記手続補正書で補正された明細書の第7頁第17行目〜第9頁第13行目の記載を補正した「…第1図によって本発明の概念を説明する。本発明の被写体距離情報出力装置は、撮影レンズ6を透過した被写体光の結像面とフィルム面とのずれ量およびそのずれ方向をずれ情報として検出するずれ情報検出手段1と、上記撮影レンズ6の内の合焦レンズ群の基準位置からの繰出量を検出する繰出量検出手段2と、上記ずれ情報から上記合焦レンズ群(以下、フォーカス群という)の基準位置からの繰出量のずれ量および方向を決定するフォーカス群ずれ情報決定手段3と、上記繰出量検出手段2の出力と上記フォーカス群ずれ情報決定手段3の出力とからフォーカス群の基準位置に対する合焦繰出量を決定する演算手段4と、この演算手段4の出力に応じて被写体距離情報を出力する出力手段5とを具備している。この被写体距離情報出力装置では、撮影レンズ6を透過した被写体光の結像面とフィルム面との光軸方向のずれ量およびずれ方向を検出するずれ情報検出手段1の出力信号に基づいて、撮影レンズのフォーカス群の合焦位置までの駆動量を演算して決定するフォーカス群ずれ情報決定手段3によってフォーカス群のずれ方向・ずれ量を示す信号に変換する。また、フォーカス群の現在の繰出位置と上記フォーカス群のずれ方向・ずれ量の情報とから、フォーカス群のピントずれがゼロの状態になる繰出位置を求める。そして、フォーカス群の合焦繰出位置の情報から、被写体距離情報を演算して出力する。…」という記載及び第1図を参酌すれば、本願発明の「撮影レンズの焦点深度の深さによる合焦時の上記合焦レンズ群の停止位置のばらつきを補正して該合焦レンズ群のピントずれ量がゼロとなるように、該合焦レンズ群の、基準位置に対する合焦繰出量を演算する」の技術的意味は、合焦が完了した後の合焦レンズ群の停止位置から合焦繰出量を求めるのではないから、合焦レンズ群の停止位置のばらつきに影響されない値を演算するというものと解するのが相当である。
　してみると、[相違点1]における本願発明の構成は、被写体距離情報を求めるために使用する合焦繰出量を、繰出量検出手段の出力と、繰出量決定手段の出力とに基づいて演算するから、求められた合焦繰出量、被写体距離情報の値は、実際に合焦レンズ群が繰り出された後の(合焦時の)上記合焦レンズ群の停止位置のばらつきに影響されないことを規定したものである。
　ところで、引用発明においては、合焦繰出量(N+ΔN)、距離(x)は、合焦レンズ群が合焦位置に達した後の停止位置の情報から算出するものではない。本願発明と同様に、繰出量検出手段(繰り出し量検出手段(1))の出力(N)と繰出量決定手段(繰り出し量算出手段(3))の出力(ΔN)とに基づいて合焦繰出量(N+ΔN)を求め、この値に応じて被写体距離情報(x)を求めている。従って、引用発明の演算手段(繰り出し量算出手段(3))は合焦レンズ群の停止位置のばらつきに影響されない値が演算され、従って、被写体距離情報(距離算出手段(4)の出力である距離(x))も合焦レンズ群の停止位置のばらつきに影響されない値となる。この点は引用発明の構成である「撮影レンズ(11)の焦点状態が被写体に合焦していなくても、被写体に合焦したときの被写体距離を検出することができる」及び引用例1の[記載事項5]の効果の説明からも明らかである。
　以上のことから[相違点1]は本願発明と引用発明との実質的な相違ではない。
　
　[相違点2]について:
　引用例2において、カメラシステムにおける制御装置に関するもので、特に閃光撮影に際し、測距装置により検出された距離信号を閃光装置(ストロボ装置に相当)に入力し、該測距装置により自動的に検出された距離信号に基づいて閃光量を調光することにより、閃光撮影時の露光量調定を自動的に規制する制御装置、すなわち、フラッシュマチック制御のための装置が公知である。
　そして、引用発明は、カメラの測光結果を評価する等の、他の処理を行うための距離検出装置であるから、引用発明の他の処理として引用例2において公知のストロボ装置をフラッシュマチック制御する処理を選択した点に格別の困難性は認められない。
　
　そして、[相違点1]及び[相違点2]に関する本願発明の構成によってもたらされる効果は引用例1、2から予測される範囲のものである。
　
【4】むすび
　以上のとおり、本願の請求項1に係る発明は引用例1、2に記載された発明に基づいて当業者が容易に発明できたものであるから、特許法第29条第2項の規定により特許を受けることができない。
　よって、結論のとおり審決する。